(57)【特許請求の範囲】
【請求項１】
ダイヤフラムの表面に導かれる衝撃波の作用によって穿孔するように構成された前記ダイヤフラムと、
前記ダイヤフラムの前記表面に導かれる衝撃波を生じる燃焼生成物を燃焼して生成するように配置及び適応されたパイロテクニック火薬と、
前記パイロテクニック火薬をその中に入れ、そして前記パイロテクニック火薬の一面に位置付けられており、前記燃焼生成物を前記ダイヤフラムの中央に合わせるまたは導くように前記ダイヤフラムの中央に方向付けられた中空の伸長チャネルを備えているデバイスと、を備える、加圧容器からの火炎抑制剤の放出を制御するための弁であって、
前記伸長チャネルの全長がその最小幅の少なくとも１．５倍であり、
前記デバイスが、第１の内径を有するとともに前記パイロテクニック火薬を保持する下部と、前記伸長チャネルを備えた上部と、を備えており、前記伸長チャネルが、前記第１の内径よりも小さい第２の内径を有するとともに、前記パイロテクニック火薬の端部から前記ダイヤフラムに向かって延在する、弁。
【請求項２】
前記ダイヤフラムが、前記ダイヤフラムの一部が外側に開いて前記パイロテクニック火薬に向かうように穿孔するよう構成された、請求項１に記載の弁。
【請求項３】
前記火炎抑制剤がそこを通り移動する通路をさらに備えており、前記通路が弁入口から弁出口に延在し、前記ダイヤフラム、パイロテクニック火薬及びデバイスのすべてが、前記通路内に位置付けられた、請求項１または２に記載の弁。
【請求項４】
前記パイロテクニック火薬が、可燃性物質を封入するキャップまたはカバーを備えており、前記キャップまたはカバーが、前記パイロテクニック火薬をその中に入れる前記デバイスと別個のものである、請求項１から３のうちの何れか一項に記載の弁。
【請求項５】
前記デバイスが、前記パイロテクニック火薬の活性化においても無傷でいるように構成された、請求項１から４のうちの何れか一項に記載の弁。
【請求項６】
前記デバイスが金属またはセラミックである、請求項１から５のうちの何れか一項に記載の弁。
【請求項７】
前記燃焼生成物が主として気体からなる、請求項１から６のうちの何れか一項に記載の弁。
【請求項８】
前記燃焼生成物が、前記パイロテクニック火薬の固体断片を含まない、請求項１から７のうちの何れか一項に記載の弁。
【請求項９】
前記ダイヤフラムが、前記パイロテクニック火薬から距離をあけて位置付けられ、前記距離が、前記ダイヤフラムの一部がその穿孔によって少なくとも４５度開くことができるのに十分な距離である、請求項１から８のうちの何れか一項に記載の弁。
【請求項１０】
前記ダイヤフラムが、前記ダイヤフラムの前記表面に導かれる衝撃波の作用によって裂けて開く前記ダイヤフラムの一部を画定する複数のスコア線を備える、請求項１から９のうちの何れか一項に記載の弁。
【請求項１１】
前記デバイスが、前記ダイヤフラムの方に位置付けられた面取り端部を有する中空管を備えており、前記面取り端部が、前記ダイヤフラムの前記一部が開いたときに前記ダイヤフラムが前記中空管に接触することを防止するように提供された、請求項１０に記載の弁。
【請求項１２】
前記ダイヤフラムが、前記ダイヤフラムの方に位置付けられた前記中空管の前記端部が面取りされていない場合に、前記ダイヤフラムの前記一部が前記中空管に接触するような前記中空管からの距離に位置付けられた、請求項１１に記載の弁。
【請求項１３】
その内部に火炎抑制剤を有し、出口を有するチャンバと、
請求項１から１２のうちの何れか一項に記載の弁と、を備えており、前記弁が、前記チャンバの前記出口を密閉してそこからの火炎抑制剤の放出を制御する、装置。
【発明の詳細な説明】
【技術分野】
【０００１】
本開示は、チャンバからの火炎抑制剤の放出を制御するための弁に関する。
【背景技術】
【０００２】
火炎抑制剤、特に、粉末火炎抑制剤は、通常、環境に配備される必要がある時まで加圧容器内に保持される。抑制剤の早すぎる配備を防止するために、容器の出口に弁を設置することができる。後述するように、弁は、パイロテクニック火薬の使用によって作動させることができる。そのような容器及び弁の配置の実施例を図１Ａ〜図１Ｃに示す。
【０００３】
図１Ａは、上昇した圧力において火炎抑制剤を保持するための容器１０、及び火炎抑制システム（図示せず）などの外部環境への火炎抑制剤の放出を制御するための弁２０を示す。
【０００４】
図１Ｂは、図１の線Ａ−Ａを通る、容器１０及び弁２０の断面を示す。容器の動作上の向きでは、使用中、弁２０は容器の底部に位置付けられる。それ故に、運転中、火炎抑制剤１が、容器内に保持され、重力の故に弁２０上に載っているものとして見ることができる。
【０００５】
図１Ｃは、容器１０の出口１２の内側に位置付けられた中空の弁本体２２を含む（図１Ｂの「Ｂ」に指し示す）弁２０の拡大図を示す。断裂可能なダイヤフラム３０が、弁本体２２内に位置付けられ、容器１０を密閉して加圧された火炎抑制剤が早まって漏れ出ることを防ぐように作用する。
【０００６】
パイロテクニック火薬４０が、弁２０の内側かつダイヤフラム３０の下方に位置付けられる。パイロテクニック火薬４０が発動すると、衝撃波または局部的な爆風がダイヤフラム３０の中央に導かれる。この衝撃波によって、ダイヤフラム３０が、火炎抑制剤１の方に内側に屈曲する。これによりダイヤフラム３０は、機械的弱化して断裂または穿孔し（例えば、破裂して開く、裂ける）、火炎抑制剤１から離れる方に外側に開く。
【０００７】
ダイヤフラム３０が穿孔すると、容器１０の内部と環境との間に元々存在する圧力差の故に、火炎抑制剤が出口１２及び弁２０を通って外部環境に噴出され、その火炎抑制作用を果たす。
【発明の概要】
【発明が解決しようとする課題】
【０００８】
本開示は、開くことによって火炎抑制剤を確実に配備することができるダイヤフラムの能力を向上することを目的としている。
【課題を解決するための手段】
【０００９】
本開示の態様に従い、加圧容器からの火炎抑制剤の放出を制御するための弁が提供される。弁は、
ダイヤフラムの表面に導かれる衝撃波の作用によって穿孔するように構成されたダイヤフラムと、
ダイヤフラムの表面に導かれる衝撃波を生じる燃焼生成物を燃焼して生成するように配置及び適応されたパイロテクニック火薬と、
パイロテクニック火薬をその中に入れ、かつパイロテクニック火薬の一面に位置付けられており、燃焼生成物をダイヤフラムの中央に合わせるまたは導くようにダイヤフラムの中央に方向付けられた中空の伸長チャネルを備えているデバイスと、を備えている。
伸長チャネルの全長は、幅、例えば、チャネルの最小幅の少なくとも１．５倍である。
【００１０】
そのような伸長チャネルの提供によって、燃焼生成物をダイヤフラムの中央に合わせ、燃焼生成物によってダイヤフラムに印加されるエネルギーが増大する。これによりパイロテクニック火薬の使用が改善され、環境に浪費されるエネルギーも減少する
【００１１】
伸長チャネルは、パイロテクニック火薬の端部からダイヤフラムに向かい延在し、その火薬の活性化（すなわち、燃焼）によって放出または噴出される燃焼生成物のための通路のみからなることができる。伸長チャネルは、円筒状であってもよいし、円錐台であってもよい。伸長チャネルの幅は、均一であってもよいし、不均一であってもよい。例えば、伸長チャネルは、パイロテクニック火薬に向かうまたはそれから離れるにつれて先細になってもよいし、ダイヤフラムに向かうまたはそれから離れるにつれて先細になってもよい。前述のチャネルの幅は、チャネルの最小幅であってもよいし、最大幅であってもよい。伸長チャネルの最小幅の部分は、ダイヤフラムの方に位置付けられたチャネルの端部に位置してもよい。
【００１２】
伸長チャネルの全長は、幅、例えば、伸長チャネルの最小幅の少なくとも２倍、３倍、４倍または５倍であってもよい。
【００１３】
デバイスは、比較的大きい内径を有し、パイロテクニック火薬を保持する下部を備えることができる。デバイスは、伸長チャネルを備える上部を備えることができる。伸長チャネルは、比較的小さい内径を有することができる。
【００１４】
ダイヤフラムは、選択的に、ダイヤフラムの表面に導かれる衝撃波の作用によって裂けて開くダイヤフラムの一部を画定する複数のスコア線を備えることができる。スコア線は、ダイヤフラムの一部がデバイス及び／またはパイロテクニック火薬に及ばないように開くことができるのに十分な全長（例えば、十分に短い）を有することができる。スコア線は、選択的に、ダイヤフラムの全直径または実質的に全直径をカバーする。ダイヤフラムがドーム状または半球の部分を備える実施形態では、スコア線は、ドームまたは半球体の全直径または実質的に全直径をカバーすることができる。
【００１５】
ダイヤフラムの幅または直径は、３５ｍｍ、３０ｍｍ、２５ｍｍ、２０ｍｍ、１０ｍｍまたは５ｍｍ未満、超またはそれらと等しくてもよい。
【００１６】
ダイヤフラムは、「非断片化」タイプのものであってもよい。つまり、その表面に導かれる衝撃波の作用またはそれによって、屈曲、弱体化及び穿孔するように構成することができる。
【００１７】
弁は、さらに、火炎抑制剤がそこを通り移動する通路を備えることができる。通路は、弁入口から弁出口に延在することができる。ダイヤフラム、パイロテクニック火薬及び／またはデバイスは、通路内に位置付けることができる。
【００１８】
パイロテクニック火薬は、可燃性物質を封入するキャップまたはカバーを備えることができる。キャップまたはカバーは、パイロテクニック火薬をその中に入れるデバイスと別個のものであってもよい。デバイスは、キャップまたはカバーの上方及び／または周囲に位置付けられ、キャップまたはカバーをその中に入れることができる。伸長チャネルは、キャップまたはカバーの上部からダイヤフラムに向かい延在することができる。キャップまたはカバーは、パイロテクニック火薬の活性化によって、破裂して開く、選択的に断片化せずに開くように構成することができる。キャップまたはカバーは、デバイス及び／またはダイヤフラムに対して比較的弱い物質から作ることができる。
【００１９】
パイロテクニック火薬は、可燃性物質または本質的に可燃性物質で構成され、デバイスは、可燃性物質を封入するキャップまたはカバーを備えることができる。
【００２０】
本明細書に使用されるような「本質的にからなる」は、パイロテクニック火薬が、可燃性物質及びパイロテクニック火薬の本質的特質に物質的に影響を与えないさらなるコンポーネントのみからなることを意味する。例えば、可燃性物質を結合させるために、結合剤が少量存在してもよい。
【００２１】
選択的に、かつ前述の実施形態のいずれかにおいては、パイロテクニック火薬と、可燃性物質と、キャップまたはカバーと、デバイスとの間にいかなる物質も存在しなくてもよい。
【００２２】
デバイスは、パイロテクニック火薬の活性化においても無傷でいるように構成することができる。
【００２３】
デバイスは、金属でもよいし、セラミックでもよいし、金属またはセラミック物質を含んでもよい。例えば、パイロテクニック火薬をその中に入れるデバイスの内部及び／またはデバイスのそれらの一部は、金属またはセラミックでもよく、もしくは金属またはセラミック物質を含んでもよい。伸長チャネルは金属またはセラミックでもよく、金属またはセラミック物質を含んでもよく、金属またはセラミックライニングを有してもよい。
【００２４】
パイロテクニック火薬は、燃焼生成物が主として気体からなるように構成することができる。いくつかの実施形態では、パイロテクニック火薬は、燃焼生成物が、例えば、パイロテクニック火薬の固体断片を含まないように構成することができる。
【００２５】
ダイヤフラムは、パイロテクニック火薬から、１０ｍｍ超、５ｍｍ超または２ｍｍ超であってもよい距離をあけて位置付けられてもよい。この距離は、ダイヤフラムの一部がデバイス及び／またはパイロテクニック火薬に及ばないように開くことができるのに十分な距離であってもよい。この距離は、ダイヤフラムの一部がその穿孔によって少なくとも４５度開くことができるのに十分な距離であってもよい。
【００２６】
ダイヤフラムは、選択的に、ダイヤフラムの表面に導かれる衝撃波の作用によって裂けて開くダイヤフラムの一部を画定する複数のスコア線を備えることができる。スコア線は、ダイヤフラムの一部がデバイス及び／またはパイロテクニック火薬に及ばないように開くことができるのに十分な全長（例えば、十分に短い）を有することができる。
【００２７】
デバイスは、ダイヤフラムの方に位置付けられた面取り端部を有する中空管またはシリンダを備えることができる。デバイスは、（例えば、ダイヤフラムに面する）平坦な上面を備えることができる。この上面は、面取り端部を備えることができ、例えば、上面の外周が面取りされてもよい。面取り端部は、ダイヤフラムの一部が開いたときにそれが中空管に接触することを防止するように提供または構成することができる。
【００２８】
ダイヤフラムは、ダイヤフラムの方に位置付けられた中空管の端部が面取りされていない場合に、ダイヤフラムの一部が中空管に接触するような中空管からの距離に位置付けることができる。
【００２９】
ダイヤフラム、パイロテクニック火薬及びデバイスを含む弁は、取り外し可能及び／または交換可能であってもよい。弁は、弁入口と弁出口との間を延在する内部通路を備えることができる。使用中、火炎抑制剤は、弁入口に入り、内部通路を通って弁出口に流れることができる。ダイヤフラムは、内部通路内に位置付けられ、穿孔が生じる前に、内部通路を経由する弁入口から弁出口までの火炎抑制剤が通ることを防止するシールとして作用することができる。ダイヤフラム、パイロテクニック火薬及びデバイスは、すべて、弁の内部に位置付けることができる。ダイヤフラム、パイロテクニック火薬及びデバイスを含む弁は、移動可能ユニットなどの単一ユニットからなってもよい。弁は、加圧容器などの、火炎抑制剤を保持するためのチャンバを塞ぐ、カバーする及び／または密閉するように構成することができる。
【００３０】
本開示の態様に従い、
火炎抑制剤を保持し、出口を有するチャンバと、
任意の前述の弁と、を備えている装置が提供される。弁は、チャンバの出口を密閉してそこからの火炎抑制剤の放出を制御する。
【００３１】
装置は、さらに、チャンバ内に、火炎抑制粉末などの火炎抑制剤を含むことができる。チャンバ及び／または火炎抑制剤は、加圧することができる。
【００３２】
チャンバは、ボトル形状であってもよいし、シリンダ形状であってもよく、チャンバの唯一の出口であってもよい出口を含む狭い首部を備えることができる。弁は、出口に延在し、チャンバを塞ぐ、カバーする及び／または密閉することができる。
【００３３】
装置は、ダイヤフラムの穿孔後にダイヤフラムにわたる圧力差を作り出すための手段を備えることができる。
【００３４】
本開示の態様に従い、前述の弁または装置の使用方法が提供される。この方法は、
パイロテクニック火薬を活性化または発火して衝撃波をダイヤフラムの表面に導くことを含む。
【００３５】
本開示の態様に従い、添付図面を参照して本明細書に実質的に記述した装置が提供される。
【００３６】
本開示の態様に従い、前述の弁または装置の製造方法が提供される。
【００３７】
本開示のさまざまな実施形態を、例示のみを目的としてかつ単なる実施例として与えられた実施例とともに、以下の添付図面を参照してここに記述する。
【図面の簡単な説明】
【００３８】
【図１Ａ】火炎抑制剤を保持するためのチャンバ及びチャンバからの火炎抑制剤の放出を制御するための弁を備えている従来の装置を示す。
【図１Ｂ】火炎抑制剤を保持するためのチャンバ及びチャンバからの火炎抑制剤の放出を制御するための弁を備えている従来の装置を示す。
【図１Ｃ】火炎抑制剤を保持するためのチャンバ及びチャンバからの火炎抑制剤の放出を制御するための弁を備えている従来の装置を示す。
【図２】本開示の実施形態を示す。
【図３Ａ】本開示の実施形態を示す。
【図３Ｂ】本開示のさらなる実施形態を示す。
【発明を実施するための形態】
【００３９】
本開示の実施形態を、容器１００及び弁２００を含む装置を示す図２を参照してここに記述する。
【００４０】
容器１００は、その内部に、選択的に粉末形状である火炎抑制剤（図示せず）を保持するのに使用されるタイプのものであり、概して円筒状であり、容器１００の下端に提供された（単なる出口であってもよい）出口１２０を持つボトル形状を形成する。容器１００は、首部１０２及びチャンバ部１０３を備える。チャンバ部１０３は、首部１０２の直径と比較して相対的に大きい最大直径を有し、火炎抑制剤の大部分を保持するための容器１００の主本体を形成する。首部１０２及び出口１２０の直径は、より短い。
【００４１】
容器の内部は、例えば、窒素ガスを使用して加圧される。弁２００が出口１２０に挿入されて容器１００を塞ぐまたは密閉することによって、容器内に保持されている加圧された火炎抑制剤が早まって放出されることを防止する。他の形状の容器を使用することができ、本開示は、示すような円筒状の容器に限定されない。
【００４２】
弁２００は、中空であり、容器１００の内部から環境に火炎抑制剤を移すための通路２２２を形成する弁本体２２０を備える。通路２２２は、弁入口２２３から弁出口２２４に延在する。弁入口２２３及び弁本体２２０の首部２２６は、容器１００の出口１２０に適合し、弁本体２２０の肩部２２８が容器１００の外面に位置する。弁入口２２３及び首部２２６は、首部１０２の壁及び容器１００の出口１２０に接触密閉する。任意の適切な密閉方法を使用することができる。
【００４３】
装置は、弁本体２２０の通路２２２内に位置する断裂可能なダイヤフラム１３０を含む。ダイヤフラム１３０は、通路２２２及び弁本体２２０の内壁に接触密閉し、火炎抑制剤が通路２２２を通って放出されることを防止する。
【００４４】
パイロテクニック火薬１４０によって生成される気体及び熱の迅速な放出による、火薬の活性化による衝撃波または衝撃の強い波がダイヤフラム１３０に導かれるように、パイロテクニック火薬１４０が提供及び配置される。この種類の火薬は、ガス状火薬と呼ばれることがある。これによりダイヤフラム１３０が屈曲、弱体化及び穿孔する（または、破裂する、衰弱する、裂けるなどする）。一つには、容器１００が加圧されたときのダイヤフラム１３０にわたる圧力差の故に、ダイヤフラム１３０がチャンバ部１０３及び火炎抑制剤から離れる方に外側に穿孔する。
【００４５】
このガスのメカニズムは、例えば、ダイヤフラムを穿孔するのに熱い金属片を使用する爆発性または断片化の火薬とは異なる。選択的に、パイロテクニック火薬は、活性化によって金属片を噴出しない。選択的に、衝撃波は、主として気体からなる。
【００４６】
ダイヤフラム１３０の穿孔後、火炎抑制剤が、容器１００の内部から通路２２２を経由して外部環境（例えば、建物または航空機などの輸送機関用の火炎抑制システム）に移る。この移動は、一つには、火炎抑制剤が容器１００内の圧力下に保持されていることの故に起こる。
【００４７】
ダイヤフラム１３０は、典型的に、ステンレス鋼またはニッケルなどの金属から作られる。ダイヤフラム１３０は、その表面にわたって線を付けることによって、所定のスコア線に沿うダイヤフラム１３０の衰弱を促進することができる。スコア線は、ダイヤフラム１３０の表面に星形パターンを形成し、これによりダイヤフラム１３０は、所定のスコア線に沿って花弁のように開くことができる。例えば、その各々がダイヤフラム１３０の上端から始まり、境界線を終端とする６つの放射状のスコア線を提供することができる。スコア線は、ダイヤフラム１３０の境界線の周囲において等間隔に位置してもよい。ダイヤフラム、パイロテクニック火薬及びデバイスを含む弁２００が、単一ユニットとして取り外し可能及び／または交換可能であってもよいことが認識される。
【００４８】
図２に示すように、ダイヤフラム１３０は、半球状であり、半球体の先端は、パイロテクニック火薬１４０の方、及び容器１００及びチャンバ部１０３から離れる方を向いている。
【００４９】
本開示に従い、デバイス１５０が、パイロテクニック火薬１４０の上方及び／または周囲に位置付けられ、パイロテクニック火薬１４０をその中に入れ、衝撃波をダイヤフラム１３０の中央に合わせるように構成される。（断片化タイプではなく）ガス状のタイプの一部のパイロテクニック火薬が、ダイヤフラム１３０を開くのに不十分であることが見出された。本明細書に記述するようなデバイス１５０を使用した、燃焼生成物のダイヤフラム１３０の中央への位置合わせは、燃焼生成物によってダイヤフラム１３０に印加されるエネルギーを最大化し、通路２２２の壁などの環境に浪費されるエネルギーを減少する。
【００５０】
図３Ａは、パイロテクニック火薬１４０及びデバイス１５０をより詳細に示す。
【００５１】
図示する実施形態のデバイス１５０は、下部１５２及び上部１５４を有する中空管またはシリンダの形態である。
【００５２】
下部１５２は、管状であり、比較的大きい内径を有する。パイロテクニック火薬１４０が、比較的大きい内径を有する下部１５２内に位置付けられる。パイロテクニック火薬１４０は、キャップまたはカバーを備えることができる。このことは、パイロテクニック火薬１４０によって生成されるエネルギーのごく一部が、キャップまたはカバーを断裂または破壊するのに要求され得ることを意味する。しかしながら、そのようなキャップまたはカバーは、選択的に、デバイス１５０及びその伸長チャネル１５５と異なるものである。パイロテクニック火薬が可燃性物質または本質的に可燃性物質で構成され得る場合には、デバイスが可燃性物質用のキャップまたはカバーを形成する他の実施形態も企図される。
【００５３】
デバイス１５０の上部１５４も管状であり、そしてパイロテクニック火薬の活性化によって生じる燃焼生成物が通り抜けるための伸長チャネル１５５を提供するように比較的小さい内径を有する。伸長チャネルは、燃焼生成物をダイヤフラム１３０の中央に導く。伸長チャネル１５５の全長は、その直径の少なくとも１．５倍、選択的に、その直径の少なくとも２倍、３倍、４倍または５倍である。
【００５４】
シリンダからの内圧を受けるときには中央が常にダイヤフラムの最も弱い部分であるので、デバイスは、火薬がダイヤフラムの中央に導かれると最も効果的となる。デバイス１５０、特に本明細書に記述するような伸長チャネル１５５を備えているデバイス１５０の使用によって、ダイヤフラム１３０を断裂するための最適条件が提供される。
【００５５】
容器１００の内部からの内圧を受けるときには、通常、中央がダイヤフラムの最も弱い部分であるので、デバイスは、火薬がダイヤフラムの中央に導かれると最も効果的となる。本明細書に記述するような伸長チャネル１５５を備えているデバイス１５０は、パイロテクニック火薬を使用してダイヤフラム１３０を断裂するための最適条件を提供する。
【００５６】
デバイス１５０は、所与のパイロテクニック火薬のエネルギー必要量を減少することができる。例えば、図１Ａ〜図１Ｃの従来の配置を使用すると、パイロテクニック火薬によって生成される所与の衝撃波は、ダイヤフラム３０を開くための十分なエネルギーをそれに移すことができない。図２の配置を使用すると、同じパイロテクニック火薬１４０によって生成される衝撃波は、同じエネルギーを有するが、デバイス１５０によってダイヤフラム１３０の中央に合わせられ、ダイヤフラム１３０が、例えば、所定のスコア線に沿って裂けて開く。
【００５７】
デバイス１５０は、ダイヤフラム１３０がパイロテクニック火薬１４０の活性化によって完全に開くことができるような、ダイヤフラム１３０からの十分な距離に位置付けられる。例えば、ダイヤフラム１３０の穿孔によってダイヤフラム１３０は所定のスコア線に沿って花弁のように開き、その花弁の先端は、デバイス１５０の端部１５６のそばを通過するときに、それを取り巻きもしないし、それに接触もしない。
【００５８】
デバイス１５０は、パイロテクニック火薬１４０の活性化によって、実質的に燃焼、破片化または破壊されない。換言すれば、デバイス１５０は、パイロテクニック火薬１４０の活性化においても実質的に無傷である。デバイス１５０は、これを達成するために金属から作ることができる。ただし、セラミックなどの他の物質を使用することもできる。
【００５９】
代替的な実施形態を図３Ｂに示す。この実施形態は、図２及び図３Ａの実施形態と同一であるが、異なるデバイス２５０が提供されることを予期している。
【００６０】
この実施形態では、ダイヤフラム１３０の方に位置付けられたデバイス２５０の端部２５６が、面取り外周２５８、すなわち「面取り面」を備える。面取り面２５８によって、ダイヤフラム１３０がパイロテクニック火薬の活性化によって断裂するときに通行するための、ダイヤフラム１３０の一部、例えば、花弁のためのより多くの空間がもたらされるので、デバイス２５０の端部２５６とダイヤフラム１３０との間の距離を最小にできる。
【００６１】
デバイス２５０の残りの特徴については、図３Ａのデバイス１５０の特徴と実施的に同じであり、それ故に、各数字に１００を足した同様の参照数字で示される。
【００６２】
本開示を具体的な実施形態を参照して記述したが、添付の特許請求の範囲に説明されるような本開示の範囲から逸脱することなく、形態及び詳細にさまざまな変更を為せることが当業者に理解される。
【符号の説明】
【００６３】
１  火炎抑制剤
１０  容器
１２  出口
２０  弁
２２  弁本体
３０  ダイヤフラム
４０  パイロテクニック火薬
１００  容器
１０２  首部
１０３  チャンバ部
１２０  出口
１３０  ダイヤフラム
１４０  パイロテクニック火薬
１５０  デバイス
１５２  下部
１５４  上部
１５５  伸長チャネル
１５６  端部
２００  弁
２２０  弁本体
２２２  通路
２２３  弁入口
２２４  弁出口
２２６  首部
２２８  肩部
２５０  デバイス
２５６  端部
２５８  面取り面
【図１Ａ】
0006689654.tif 000002
【図１Ｂ】
0006689654.tif 000003
【図１Ｃ】
0006689654.tif 000004
【図２】
0006689654.tif 000005
【図３Ａ】
0006689654.tif 000006
【図３Ｂ】
0006689654.tif 000007